【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
移動体に搭載されデジタル放送を受信するデジタル放送受信装置であって、
番組視聴のための受信および所定の処理を行う第１の放送受信系統と、
チャンネルスキャンのための受信および所定の処理を行う第２の放送受信系統と、
前記第２の放送受信系統を用いて前記デジタル放送の全放送物理チャンネルについて１チャンネルずつスキャンを実施し、現在位置で受信可能なＴＳ（Ｔｒａｎｓｐｏｒｔ  Ｓｔｒｅａｍ：トランスポート・ストリーム）を検出すると共に、検出された前記ＴＳの情報を元に現在位置で受信可能なチャンネル情報の更新を繰り返すチャンネルスキャン制御部と、
前記第１の放送受信系統からの出力を元に映像及び音声のデコードを行い、映像信号と音声信号の出力を行う映像／音声デコード部と、
視聴者による選局操作を入力として前記チャンネル情報を元に前記第１の放送受信系統に選局の同調指示を行う第１の選局制御部と、
前記チャンネル情報を元に視聴可能な番組情報の出力を行うサービスリスト表示部と、を備え、
前記第１の放送受信系統は、
アンテナで受信した前記デジタル放送の信号を入力し、選局を行う第１のチューナ部と、
前記第１のチューナ部によって選局された受信信号の復調処理を行い、ＴＳを出力する第１の復調部と、
前記ＴＳに対しデマルチプレクス処理を行う第１のデマルチプレクス部と、を備え、
前記第２の放送受信系統は、
前記第１のチューナ部、前記第１の復調部、前記第１のデマルチプレクス部と同等の機能を持つ第２のチューナ部、第２の復調部、第２のデマルチプレクス部、を備え、
前記チャンネルスキャン制御部は、
前記第２のチューナ部に対して同調指示を行いながら全放送物理チャンネルについて放送されているＴＳがあるか調べ、放送されているＴＳが検出され前記チャンネル情報が更新されるか、または放送されているＴＳが検出されず次のチャンネルについて再度同調指示を行うことで、繰り返しチャンネルスキャンを行う第２の選局制御部と、
各ＴＳの放送エリアとその隣接エリアを記録した放送エリアマップと、
前記第２のデマルチプレクス部より抽出された、検出ＴＳに含まれる地域識別情報を元に現在位置が含まれる放送エリアの推測を行い、前記放送エリアマップを参照して、前記チャンネル情報に記録されたＴＳのうちその放送エリアが検出ＴＳの放送エリア及び隣接エリアに含まれていない場合前記チャンネル情報からの削除を行うとともに、新たに検出したＴＳの情報により前記チャンネル情報の追加を行うチャンネル情報更新部と、を備える、
デジタル放送受信装置。
【請求項２】
移動体に搭載されデジタル放送を受信するデジタル放送受信装置であって、
番組視聴のための受信および所定の処理を行う第１の放送受信系統と、
チャンネルスキャンのための受信および所定の処理を行う第２の放送受信系統と、
前記第２の放送受信系統を用いて前記デジタル放送の全放送物理チャンネルについて１チャンネルずつスキャンを実施し、現在位置で受信可能なＴＳ（Ｔｒａｎｓｐｏｒｔ  Ｓｔｒｅａｍ：トランスポート・ストリーム）を検出すると共に、検出された前記ＴＳの情報を元に現在位置で受信可能なチャンネル情報の更新を繰り返すチャンネルスキャン制御部と、
前記第１の放送受信系統からの出力を元に映像及び音声のデコードを行い、映像信号と音声信号の出力を行う映像／音声デコード部と、
視聴者による選局操作を入力として前記チャンネル情報を元に前記第１の放送受信系統に選局の同調指示を行う第１の選局制御部と、
前記チャンネル情報を元に視聴可能な番組情報の出力を行うサービスリスト表示部と、を備え、
前記第１の放送受信系統は、
アンテナで受信した前記デジタル放送の信号を入力し、選局を行う第１のチューナ部と、
前記第１のチューナ部によって選局された受信信号の復調処理を行い、ＴＳを出力する第１の復調部と、
前記ＴＳに対しデマルチプレクス処理を行う第１のデマルチプレクス部と、を備え、
前記第２の放送受信系統は、
前記第１のチューナ部、前記第１の復調部、前記第１のデマルチプレクス部と同等の機能を持つ第２のチューナ部、第２の復調部、第２のデマルチプレクス部、を備え、
前記チャンネルスキャン制御部は、
前記第２のチューナ部に対して同調指示を行いながら全放送物理チャンネルについて放送されているＴＳがあるか調べ、放送されているＴＳが検出され前記チャンネル情報が更新されるか、または放送されているＴＳが検出されず次のチャンネルについて再度同調指示を行うことで、繰り返しチャンネルスキャンを行う第２の選局制御部と、
チャンネルスキャン毎に前記チャンネル情報に記録されたＴＳについて未検出回数のカウントを行い、未検出回数が基準回数に達した場合にそのＴＳの情報について前記チャンネル情報からの削除を行うとともに、新たに検出したＴＳの情報により前記チャンネル情報の追加を行うチャンネル情報更新部と、を備える、
デジタル放送受信装置。
【請求項３】
移動体に搭載されデジタル放送を受信するデジタル放送受信装置であって、
番組視聴のための受信および所定の処理を行う第１の放送受信系統と、
チャンネルスキャンのための受信および所定の処理を行う第２の放送受信系統と、
前記第２の放送受信系統を用いて前記デジタル放送の全放送物理チャンネルについて１チャンネルずつスキャンを実施し、現在位置で受信可能なＴＳ（Ｔｒａｎｓｐｏｒｔ  Ｓｔｒｅａｍ：トランスポート・ストリーム）を検出すると共に、検出された前記ＴＳの情報を元に現在位置で受信可能なチャンネル情報の更新を繰り返すチャンネルスキャン制御部と、
前記第１の放送受信系統からの出力を元に映像及び音声のデコードを行い、映像信号と音声信号の出力を行う映像／音声デコード部と、
視聴者による選局操作を入力として前記チャンネル情報を元に前記第１の放送受信系統に選局の同調指示を行う第１の選局制御部と、
前記チャンネル情報を元に視聴可能な番組情報の出力を行うサービスリスト表示部と、を備え、
前記第１の放送受信系統は、
アンテナで受信した前記デジタル放送の信号を入力し、選局を行う第１のチューナ部と、
前記第１のチューナ部によって選局された受信信号の復調処理を行い、ＴＳを出力する第１の復調部と、
前記ＴＳに対しデマルチプレクス処理を行う第１のデマルチプレクス部と、を備え、
前記第２の放送受信系統は、
前記第１のチューナ部、前記第１の復調部、前記第１のデマルチプレクス部と同等の機能を持つ第２のチューナ部、第２の復調部、第２のデマルチプレクス部、を備え、
前記チャンネルスキャン制御部は、
前記第２のチューナ部に対して同調指示を行いながら全放送物理チャンネルについて放送されているＴＳがあるか調べ、放送されているＴＳが検出され前記チャンネル情報が更新されるか、または放送されているＴＳが検出されず次のチャンネルについて再度同調指示を行うことで、繰り返しチャンネルスキャンを行う第２の選局制御部と、
各ＴＳの放送エリアとその隣接エリアを記録した放送エリアマップと、
前記第１のデマルチプレクス部より抽出された、検出ＴＳに含まれる地域識別情報を元に現在位置が含まれる放送エリアの推測を行い、前記チャンネル情報に記録されているＴＳのうち、チャンネルスキャンで検出されなかったＴＳの情報を削除するとともに、新たに検出したＴＳの情報により前記チャンネル情報の追加を行うチャンネル情報更新部と、を備え、
前記チャンネル情報更新部が、
前記放送エリアマップを参照して、チャンネルスキャンで検出されなかったＴＳのうち、現在位置が含まれる放送エリア及びその隣接エリアに属するものは前記チャンネル情報から削除しない、
デジタル放送受信装置。
【請求項４】
移動体に搭載されデジタル放送を受信するデジタル放送受信装置であって、
番組視聴のための受信および所定の処理を行う第１の放送受信系統と、
チャンネルスキャンのための受信および所定の処理を行う第２の放送受信系統と、
前記第２の放送受信系統を用いて前記デジタル放送の全放送物理チャンネルについて１チャンネルずつスキャンを実施し、現在位置で受信可能なＴＳ（Ｔｒａｎｓｐｏｒｔ  Ｓｔｒｅａｍ：トランスポート・ストリーム）を検出すると共に、検出された前記ＴＳの情報を元に現在位置で受信可能なチャンネル情報の更新を繰り返すチャンネルスキャン制御部と、
前記第１の放送受信系統からの出力を元に映像及び音声のデコードを行い、映像信号と音声信号の出力を行う映像／音声デコード部と、
視聴者による選局操作を入力として前記チャンネル情報を元に前記第１の放送受信系統に選局の同調指示を行う第１の選局制御部と、
前記チャンネル情報を元に視聴可能な番組情報の出力を行うサービスリスト表示部と、を備え、
前記第１の放送受信系統は、
アンテナで受信した前記デジタル放送の信号を入力し、選局を行う第１のチューナ部と、
前記第１のチューナ部によって選局された受信信号の復調処理を行い、ＴＳを出力する第１の復調部と、
前記ＴＳに対しデマルチプレクス処理を行う第１のデマルチプレクス部と、を備え、
前記第２の放送受信系統は、
前記第１のチューナ部、前記第１の復調部、前記第１のデマルチプレクス部と同等の機能を持つ第２のチューナ部、第２の復調部、第２のデマルチプレクス部、を備え、
前記チャンネルスキャン制御部は、
前記第２のチューナ部に対して同調指示を行いながら全放送物理チャンネルについて放送されているＴＳがあるか調べ、放送されているＴＳが検出され前記チャンネル情報が更新されるか、または放送されているＴＳが検出されず次のチャンネルについて再度同調指示を行うことで、繰り返しチャンネルスキャンを行う第２の選局制御部と、
各ＴＳの放送エリアとその隣接エリアを記録した放送エリアマップと、
前記第２のデマルチプレクス部より抽出された、検出ＴＳに含まれる地域識別情報を元に現在位置が含まれる放送エリアの推測を行い、前記チャンネル情報に記録されているＴＳのうち、チャンネルスキャンで検出されなかったＴＳの情報を削除するとともに、新たに検出したＴＳの情報により前記チャンネル情報の追加を行うチャンネル情報更新部と、を備え、
前記チャンネル情報更新部が、
前記放送エリアマップを参照して、チャンネルスキャンで検出されなかったＴＳのうち、現在位置が含まれる放送エリア及びその隣接エリアに属するものは前記チャンネル情報から削除しない、
デジタル放送受信装置。
【請求項５】
前記地域識別情報は、ＮＩＴ（Ｎｅｔｗｏｒｋ  Ｉｎｆｏｒｍａｔｉｏｎ  Ｔａｂｌｅ）に含まれるセルＩＤ（ｃｅｌｌ＿ｉｄ）もしくはセルＩＤが指すエリアの矩形の緯度および経度の値であり、
前記放送エリアマップは、前記セルＩＤもしくは前記緯度および経度の値と、それが指すエリアに隣接する他のエリアを指すセルＩＤもしくは緯度および経度の値との対応関係を記録したものである、
請求項１、請求項３および請求項４のいずれかに記載のデジタル放送受信装置。
【請求項６】
前記地域識別情報は、ＮＩＴ（Ｎｅｔｗｏｒｋ  Ｉｎｆｏｒｍａｔｉｏｎ  Ｔａｂｌｅ）に含まれるセルＩＤ（ｃｅｌｌ＿ｉｄ）もしくはセルＩＤが指すエリアの矩形の緯度および経度の値であり、
前記放送エリアマップは、前記セルＩＤもしくは前記緯度および前記経度の値と、それが指すエリアから所定の距離範囲内にある他のエリアを指すセルＩＤもしくは緯度および経度の値との対応関係を記録したものである、
請求項１、請求項３および請求項４のいずれかに記載のデジタル放送受信装置。
【請求項７】
前記地域識別情報は、ＮＩＴ（Ｎｅｔｗｏｒｋ  Ｉｎｆｏｒｍａｔｉｏｎ  Ｔａｂｌｅ）に含まれるＴＳ＿ＩＤ（トランスポートストリームＩＤ）であり、
前記放送エリアマップは、前記ＴＳ＿ＩＤと、それが指すＴＳが属する放送エリアに隣接する他の放送エリアのＴＳ＿ＩＤとの対応関係を記録したものである、
請求項１、請求項３および請求項４のいずれかに記載のデジタル放送受信装置。
【請求項８】
前記地域識別情報は、ＮＩＴ（Ｎｅｔｗｏｒｋ  Ｉｎｆｏｒｍａｔｉｏｎ  Ｔａｂｌｅ）に含まれる論理チャンネル記述子（ｌｏｇｉｃａｌ＿ｃｈａｎｎｅｌ＿ｄｅｓｃｒｉｐｔｏｒ）であり、
前記放送エリアマップは、前記論理チャンネル記述子のチャンネルリストＩＤ（ｃｈａｎｎｅｌ＿ｌｉｓｔ＿ｉｄ）と、それに含まれるＴＳとの関係を記録したものである、
請求項１、請求項３および請求項４のいずれかに記載のデジタル放送受信装置。
【請求項９】
前記地域識別情報の示す放送エリアとそれに隣接する他の放送エリアとの対応関係が変化した場合に、変化後の対応関係に前記放送エリアマップを更新するエリアマップ更新部をさらに備える、
請求項１および請求項３から請求項８のいずれかに記載のデジタル放送受信装置。
【請求項１０】
前記チャンネルスキャン制御部は、
全放送物理チャンネルにおいて受信可能なＴＳが検出されなかった場合、前記チャンネル情報に記録されている全てのＴＳを、当該チャンネル情報から削除しない、
請求項１から請求項９のいずれかに記載のデジタル放送受信装置。
【請求項１１】
移動体に搭載されデジタル放送を受信するデジタル放送受信方法であって、
（ａ）第１の放送受信系統を用いて、番組視聴のための受信行う工程と、
（ｂ）第２の放送受信系統を用いて、前記デジタル放送の全放送物理チャンネルについてチャンネルスキャンを実施して、現在位置で受信可能なＴＳ（Ｔｒａｎｓｐｏｒｔ  Ｓｔｒｅａｍ：トランスポート・ストリーム）を検出する工程と、
（ｃ）前記工程（ｂ）において検出された前記ＴＳに含まれる情報を元に現在位置で受信可能なチャンネル情報の更新する工程とを備え、
前記工程（ｂ）および（ｃ）が、前記工程（ａ）が実行される間繰り返し実行される、
デジタル放送受信方法。
【請求項１２】
前記工程（ａ）は、
（ａ−１）第１の放送受信系統のアンテナで受信した前記デジタル放送の信号から所定の信号を選局する工程と、
（ａ−２）選局された信号の復調処理を行いＴＳを生成する工程と、
（ａ−３）前記ＴＳに対しデマルチプレクス処理を行う工程とを含み、
前記工程（ｂ）は、
（ｂ−１）第２の放送受信系統のアンテナで受信した前記デジタル放送の信号から所定の信号を選局する工程と、
（ｂ−２）選局された信号の復調処理を行いＴＳを生成する工程と、
（ｂ−３）前記ＴＳに対しデマルチプレクス処理を行う工程と、を含み、
前記チャンネルスキャンは、前記工程（ｂ−１）、（ｂ−２）および（ｂ−３）を全放送物理チャンネルについて行うことにより実行される
請求項１１に記載のデジタル放送受信方法。
【請求項１３】
（ｃ）前記工程（ｂ−３）で抽出されるＴＳの地域識別情報を元に、現在位置が含まれる放送エリアを推測する工程と、
（ｄ）各ＴＳの放送エリアとその隣接エリアが記録された放送エリアマップを参照して、現在位置が含まれる放送エリア及び隣接エリアに含まれないＴＳの情報を前記チャンネル情報から削除すると共に、新たに検出したＴＳの情報を前記チャンネル情報に追加する工程と、をさらに備える
請求項１２に記載のデジタル放送受信方法。
【請求項１４】
（ｃ）チャンネルスキャン毎に前記チャンネル情報に記録されたＴＳについて未検出回数をカウントする工程と、
（ｄ）未検出回数が基準回数に達したＴＳの情報を前記チャンネル情報から削除すると共に、新たに検出したＴＳの情報を前記チャンネル情報に追加する工程と、をさらに備える、
請求項１２に記載のデジタル放送受信方法。
【請求項１５】
（ｃ）前記工程（ａ−３）で抽出されるＴＳの地域識別情報を元に、現在位置が含まれる放送エリアを推測する工程と、
（ｄ）前記チャンネル情報に記録されているＴＳのうち、チャンネルスキャンで検出されなかったＴＳの情報を削除するとともに、新たに検出したＴＳの情報を前記チャンネル情報に追加する工程とを含み、
前記工程（ｄ）において、各ＴＳの放送エリアとその隣接エリアが記録された放送エリアマップに基づき、チャンネルスキャンで検出されなかったＴＳであっても現在位置が含まれる放送エリア及びその隣接エリアに属するものは前記チャンネル情報から削除しない、
請求項１２に記載のデジタル放送受信方法。
【請求項１６】
（ｃ）前記工程（ｂ−３）で抽出されるＴＳの地域識別情報を元に、現在位置が含まれる放送エリアを推測する工程と、
（ｄ）前記チャンネル情報に記録されているＴＳのうち、チャンネルスキャンで検出されなかったＴＳの情報を削除するとともに、新たに検出したＴＳの情報を前記チャンネル情報に追加する工程とを含み、
前記工程（ｄ）において、各ＴＳの放送エリアとその隣接エリアが記録された放送エリアマップに基づき、チャンネルスキャンで検出されなかったＴＳであっても現在位置が含まれる放送エリア及びその隣接エリアに属するものは前記チャンネル情報から削除しない、
請求項１２に記載のデジタル放送受信方法。
【請求項１７】
前記地域識別情報は、ＮＩＴ（Ｎｅｔｗｏｒｋ  Ｉｎｆｏｒｍａｔｉｏｎ  Ｔａｂｌｅ）に含まれるセルＩＤ（ｃｅｌｌ＿ｉｄ）もしくはセルＩＤが指すエリアの矩形の緯度および経度の値であり、
前記放送エリアマップは、前記セルＩＤもしくは前記緯度および経度の値と、それが指すエリアに隣接する他のエリアを指すセルＩＤもしくは緯度および経度の値との対応関係を記録したものである、
請求項１３、請求項１５および請求項１６のいずれかに記載のデジタル放送受信方法。
【請求項１８】
前記地域識別情報は、ＮＩＴ（Ｎｅｔｗｏｒｋ  Ｉｎｆｏｒｍａｔｉｏｎ  Ｔａｂｌｅ）に含まれるセルＩＤ（ｃｅｌｌ＿ｉｄ）もしくはセルＩＤが指すエリアの矩形の緯度および経度の値であり、
前記放送エリアマップは、前記セルＩＤもしくは前記緯度および前記経度の値と、それが指すエリアから所定の距離範囲内にある他のエリアを指すセルＩＤもしくは緯度および経度の値との対応関係を記録したものである、
請求項１３、請求項１５および請求項１６のいずれかに記載のデジタル放送受信方法。
【請求項１９】
前記地域識別情報は、ＮＩＴ（Ｎｅｔｗｏｒｋ  Ｉｎｆｏｒｍａｔｉｏｎ  Ｔａｂｌｅ）に含まれるＴＳ＿ＩＤ（トランスポートストリームＩＤ）であり、
前記放送エリアマップは、前記ＴＳ＿ＩＤと、それが指すＴＳが属する放送エリアに隣接する他の放送エリアのＴＳ＿ＩＤとの対応関係を記録したものである、
請求項１３、請求項１５および請求項１６のいずれかに記載のデジタル放送受信方法。
【請求項２０】
前記地域識別情報は、ＮＩＴ（Ｎｅｔｗｏｒｋ  Ｉｎｆｏｒｍａｔｉｏｎ  Ｔａｂｌｅ）に含まれる論理チャンネル記述子（ｌｏｇｉｃａｌ＿ｃｈａｎｎｅｌ＿ｄｅｓｃｒｉｐｔｏｒ）であり、
前記放送エリアマップは、前記論理チャンネル記述子のチャンネルリストＩＤ（ｃｈａｎｎｅｌ＿ｌｉｓｔ＿ｉｄ）と、それに含まれるＴＳとの関係を記録したものである、
請求項１３、請求項１５および請求項１６のいずれかに記載のデジタル放送受信方法。
【請求項２１】
（ｅ）前記地域識別情報の示す放送エリアとそれに隣接する他の放送エリアとの対応関係が変化した場合に、変化後の対応関係に前記放送エリアマップを更新する工程をさらに備える、
請求項１３および請求項１５から請求項２０のいずれかに記載のデジタル放送受信方法。
【請求項２２】
前記工程（ｄ）では、全放送物理チャンネルにおいて受信可能なＴＳが検出されなかった場合、前記チャンネル情報に記録されている全てのＴＳを、当該チャンネル情報から削除しない、
請求項１１から請求項２１のいずれかに記載のデジタル放送受信方法。